(57)【要約】【課題】  非対称データ・チャネルのためのビット復元スキームを提供すること。【解決手段】  本発明によれば、本方法は、  ２つの係数セットを有する非線形等化フィルタを提供するステップと、  異なる記憶状態間の第１のタイプの遷移の欠陥を補償するための第１の係数セットを有する非線形等化フィルタを使用するステップと、  異なる記憶状態間の第２のタイプの遷移の欠陥を補償するための第２の係数セットを有する非線形等化フィルタを使用するステップとを含む。【選択図】  図４
2005071565.tif 000002
【特許請求の範囲】
【請求項１】
非対称データ・チャネルにおけるビット復元方法であって、
２つの係数セットを有する非線形等化フィルタを提供するステップと、
異なる記憶状態間の第１のタイプの遷移の欠陥を補償するための第１の係数セットを有する非線形等化フィルタを使用するステップと、
異なる記憶状態間の第２のタイプの遷移の欠陥を補償するための第２の係数セットを有する非線形等化フィルタを使用するステップとを含む方法。
【請求項２】
前記２つの係数セットを有する非線形等化フィルタが、並列に少なくとも２回実施されることを特徴とする請求項１に記載の方法。
【請求項３】
前記非線形等化フィルタが、Ｖｏｌｔｅｒｒａフィルタであることを特徴とする請求項１または２に記載の方法。
【請求項４】
前記Ｖｏｌｔｅｒｒａフィルタが、直流補償器、線形ＦＩＲ、および二次項を含むことを特徴とする請求項３に記載の方法。
【請求項５】
非対称データ・チャネルにおけるビット復元デバイスであって、
２つの係数セットを有する非線形等化フィルタを含み、それによって、非線形等化フィルタが、異なる記憶状態間の第１のタイプの遷移の欠陥を補償するための第１の係数セット、および異なる記憶状態間の第２のタイプの遷移の欠陥を補償するための第２の係数セットを使用することを特徴とするデバイス。
【請求項６】
２つの係数セットを有する非線形等化フィルタが、並列に少なくとも２回実施されることを特徴とする請求項５に記載のデバイス。
【請求項７】
前記非線形等化フィルタが、Ｖｏｌｔｅｒｒａフィルタであることを特徴とする請求項５または６に記載のデバイス。
【請求項８】
前記Ｖｏｌｔｅｒｒａフィルタが、直流補償器、線形ＦＩＲ、および二次項を含むことを特徴とする請求項７に記載のデバイス。
【請求項９】
記録媒体から読み取りかつ／または記録媒体に書き込む装置であって、非対称データ・チャネルにおけるビット復元のために、請求項１から４のいずれか一項に記載の方法を使用し、または請求項５から８のいずれか一項に記載のデバイスを含むことを特徴とする装置。
【発明の詳細な説明】
【技術分野】
【０００１】
本発明は、非対称データ・チャネルにおけるビット復元のための方法およびデバイスに関し、またそのような方法またはデバイスを使用する記録媒体から読み出しかつ／または記録媒体に書き込む装置に関する。
【背景技術】
【０００２】
現在のハードディスクおよび光学ディスク応用例において、部分応答最大尤度検出器（Ｐａｒｔｉａｌ  Ｒｅｓｐｏｎｓｅ  Ｍａｘｉｍｕｍ  Ｌｉｋｅｌｉｈｏｏｄ、ＰＲＭＬ、Ｖｉｔｅｒｂｉ）は、チャネル・データ・ストリームからデータを復元するために使用される。図１は、例示的な光学チャネル信号からのデータ・ストリームを表す高周波数チャネル・データを示す。チャネル・データは、非対称によってひずまされない。この場合、データ・スライシング・プロセスは、２つの異なる信号状態（ハイおよびロー）間を容易に識別できる。しかしながら、記録媒体上に記録されたデータ・パターンは、非対称データ書き込み手順によってひずまされることがある。例えば、光学記録媒体上での非対称の１つの理由は、データ記録の間の非線形効果によって引き起こされるブルーミングである。図２は、強い信号非対称によって劣化されたチャネル・データ・ストリームの一例を示す。非対称性のために、単純なスライシング・アルゴリズムは、デジタル・ハイまたはローを表すデータ・ビット間を適切に識別することができない。なぜなら、適応等化手段が作用しないからである。この問題は、ノイズが存在するときに悪化する。この信号からチャネル・データを適切に復元するために、補償スキームが必要である。
【０００３】
通常、デジタル光学チャネル・データ・ストリームは、位相ロック・ループ（Ｐｈａｓｅ  Ｌｏｃｋｅｄ  Ｌｏｏｐ、ＰＬＬ）およびサンプル・レート・コンバータ（Ｓａｍｐｌｅ  Ｒａｔｅ  Ｃｏｎｖｅｒｔｅｒ、ＳＲＣ）を使用してチャネル・クロックに再同期され、次に逆チャネル挙動を示すフィルタ・セッティングで等化され、最後に、サンプル・スライサおよびビット検出器を使用して検出される。
【０００４】
最大尤度復号器を使用する適応アプローチは、例えば最小平均二乗（Ｌｅａｓｔ  Ｍｅａｎ  Ｓｑｕａｒｅ、ＬＭＳ）方法を用いて、等化データに対する復元データの差を計算し、チャネル特性により良く適合する等化器に関する係数のセットを得るために、これを調整情報として使用する。ＬＭＳ更新は、一般に以下の式で実施される。
Ｃｏｅｆｆｎｅｗ＝Ｃｏｅｆｆｏｌｄ＋μ×ε（フィルタリングされたｖｉｔｏｕｔ，ｅｑｏｕｔ）×チャネル・データ
【０００５】
しかしながら、いくつかのアプローチは、誤差信号εの方向（＋または−）だけを考慮する。
【０００６】
信号非対称の原因は、ある記憶状態（例えばランド）から別の記憶状態（例えばピット）への遷移中に異なる挙動を示すことが見出された。両方の遷移誤差を別々に補償することによって、最大尤度アプローチを使用して、含まれているデータ・ビットを復号するためにより良好な信号データ表現が見出される。図３は、上記スキームの進展されたバージョンを示し、入来データ信号の各エッジについて別個の等化器を調整することによって、この結果を利用する。
【発明の開示】
【発明が解決しようとする課題】
【０００７】
本発明の目的は、従来技術から知られる方法を改善することである。
【課題を解決するための手段】
【０００８】
本発明によれば、非対称データ・チャネルにおけるビット復元方法は、
２つの係数セットを有する非線形等化フィルタを提供するステップと、
異なる記憶状態間の第１のタイプの遷移の欠陥を補償するための第１の係数を有する非線形等化フィルタを使用するステップと、
異なる記憶状態間の第２のタイプの遷移の欠陥を補償するための第２の係数を有する非線形等化フィルタを使用するステップとを含む。本発明は、両方の遷移を補償するための手段を有する非線形等化フィルタの別個の使用を組み合わせる。非線形等化アプローチに別個の適応プロセスを採用することにより、最大尤度復号器を使用するデータ検出が大きく改善される。
【０００９】
有利には、等化器スキームは、並列に少なくとも２回実施される。このように、等化器スキームは、高速チャネル・データ・ストリームをサポートする。別法として、等化器スキームは、システム・クロックの異なる位相に作用することによって、新たなサンプルを再計算する単一の回路として設計される。
【００１０】
本発明の第１の実施によれば、システム・クロックは、チャネル・クロックの２倍より速い。この場合、２つの係数セットは、入れ替えることができる。第２の実施によれば、システム・クロックは、チャネル・クロックの２倍よりも遅い。この場合、入れ替えは、異なるシステム・クロック位相で行われる。
【００１１】
通常、チャネル・データ・ストリームの変調は、特定のランレングス制限を受ける。これは、いくつかの計算がもはや必要とされないので、より遅いシステム・クロックを使用することを可能にする。
【００１２】
本方法またはデバイスは、光学記録媒体から読み取りまたは光学記録媒体への書き込みの装置で有利に使用される。しかしながら、これらは、非対称信号ひずみを扱う任意の他の信号検出に適用することができる。
【００１３】
本発明をよりよく理解するために、図を参照して、以下の説明に例示的な実施形態が特定されている。本発明は、この例示的な実施形態に限定されず、また、特定された特徴は、本発明の範囲から逸脱することなく、適切に組み合わせかつ／または修正することもできることを理解されたい。
【発明を実施するための最良の形態】
【００１４】
図４において、単一のフィルタであるが２つの係数セットを有する等化器を使用する本発明による解決方法が示される。ＦＩＲフィルタの代わりに、追加のＤＣレベルに単純化される多項フィルタ（Ｖｏｌｔｅｒｒａ  Ｆｉｌｔｅｒ）、および二次フィルタ段を作る乗算器とが使用される。非線形フィルタを表すアルゴリズムは、以下の（単純化された）式１を用いて表現されることができる。
ｙｋ＝ｈ０＋ｈ１（ｘ（ｋ））＋ｈ２（ｘ（ｋ），ｘ（ｋ））      （１）
【００１５】
ＦＩＲフィルタを使用する知られているアプローチは、項ｈ１（ｘ（ｋ））だけを考慮する。基本的に入力信号の二次式である多相項ｈ２は、係数ｈ０によって考慮される追加のＤＣ補償を必要とする。
【００１６】
図５から図８は、本発明による解決方法で得られるシミュレーション結果を示す。図５において、デュアル等化器によって生成された信号とＶｉｔｅｒｂｉ復号されたデータとの間の差を示す。図６は、基準データと復元データのデジタル合計値（ＤＳＶ）との比較を示す。グラフにおいて、データ復元における誤差は、垂直方向バーとして示される。図７において、チャネル・データの信号レベル分布が示される。比較のために、図８は、等化後の信号レベル分布を示す。
【図面の簡単な説明】
【００１７】
【図１】非対称性を有さないチャネル信号を示す図である。
【図２】非対称性を有するチャネル信号を示す図である。
【図３】デュアル適応フィルタを有する等化器を使用するアプローチを示す図である。
【図４】単一のフィルタであるが２つの係数セットを有する等化器を使用する本発明による解決方法を示す図である。
【図５】デュアル等化器によって生成された信号とＶｉｔｅｒｂｉ復号されたデータとの間の差異を示す図である。
【図６】基準信号と比較された復元データのデジタル合計値（ＤＳＶ）を示す図である。
【図７】チャネル・データの信号レベル分布を示す図である。
【図８】等化後の信号レベル分布を示す図である。
【図１】
2005071565.tif 000003
【図２】
2005071565.tif 000004
【図３】
2005071565.tif 000005
【図４】
2005071565.tif 000006
【図５】
2005071565.tif 000007
【図６】
2005071565.tif 000008
【図７】
2005071565.tif 000009
【図８】
2005071565.tif 000010
【外国語明細書】
2005071565.tif 000011
2005071565.tif 000012
2005071565.tif 000013
2005071565.tif 000014
2005071565.tif 000015
2005071565.tif 000016
2005071565.tif 000017
2005071565.tif 000018
2005071565.tif 000019
2005071565.tif 000020
2005071565.tif 000021
2005071565.tif 000022